(57)【要約】【課題】アイソスタティック強度を向上できる多孔質ハニカム構造体等を提供する。【解決手段】この多孔質のハニカム構造体１００は、筒状の外部スキン１０と、外部スキンよりも内側に配置された筒状の内部スキン２０と、外部スキンと内部スキンとの間を連結して四角形の断面を有する複数の外部セル４２を形成する複数の外部セル隔壁３０と、内部スキン内に複数の内部セル４４を形成する複数の内部セル隔壁５０と、を備える。内部セル隔壁５０が内部スキン２０と接する面５０ｆのそれぞれは内部スキン２０を間に挟んで外部セル隔壁３０が内部スキン２０と接する面３０ｆと対向している。【選択図】図３
2018158445.tif 000002
【特許請求の範囲】
【請求項１】
筒状の外部スキンと、
前記外部スキンよりも内側に配置された筒状の内部スキンと、
前記外部スキンと前記内部スキンとの間を連結して四角形の断面を有する複数の外部セルを形成する複数の外部セル隔壁と、
前記内部スキン内に複数の内部セルを形成する複数の内部セル隔壁と、を備え、
前記外部セル隔壁はそれぞれ前記内部スキンと接する面を有し、
前記内部スキンに接している前記内部セル隔壁はそれぞれ前記内部スキンと接する面を有し、
前記内部セル隔壁の前記面のそれぞれは前記内部スキンを間に挟んで前記外部セル隔壁の前記面のいずれかと対向している、多孔質のハニカム構造体。
【請求項２】
前記外部セル隔壁の前記面のそれぞれは、前記内部スキンを間に挟んで前記内部セル隔壁の前記面のいずれかと対向している、請求項１記載のハニカム構造体。
【請求項３】
前記外部セルは、外側の辺が内側の辺よりも短い複数の第１外部セルと、外側の辺が内側の辺よりも長い複数の第２外部セルとを有し、前記第１外部セルと前記第２外部セルとが交互に並んでいる、請求項１又は２に記載のハニカム構造体。
【請求項４】
前記内部セルは、前記内部スキン及び複数の前記内部セル隔壁により形成される複数の内部周辺セルを有し、
各前記内部周辺セルの断面形状は多角形であり、
前記内部スキンに接続する前記内部セル隔壁と前記内部スキンとがなす角はそれぞれ、６０〜１２０°である、請求項１〜３のいずれか１項に記載のハニカム構造体。
【請求項５】
前記内部セルは、さらに、複数の前記内部周辺セルよりも内側にあり複数の前記内部セル隔壁により形成される複数の内部中央セルを有し、
各前記内部中央セルの断面形状は六角形であり、
各前記内部中央セルにおいて前記内部セル隔壁と前記内部セル隔壁とがなす角は９０〜１５０°である、請求項４に記載のハニカム構造体。
【請求項６】
請求項１〜４のいずれか１項に記載のハニカム構造体と、
前記ハニカム構造体の前記外部セル及び前記内部セルの一部の一端を閉鎖すると共に前記外部セル及び前記内部セルの残りの他端を閉鎖する封口部と、を備える、ハニカムフィルタ。
【発明の詳細な説明】
【技術分野】
【０００１】
本発明は、ハニカム構造体及びハニカムフィルタに関する。
【背景技術】
【０００２】
平行な多数のセルを有するセラミック製のハニカム構造体として、外側に２重の筒状のスキンを有し、スキン間に放射状に隔壁を設けたものが知られている。
【先行技術文献】
【特許文献】
【０００３】
【特許文献１】特開昭５３−２６８５７号公報
【特許文献２】米国特許７１１２０５０号公報
【発明の概要】
【発明が解決しようとする課題】
【０００４】
しかしながら、上述のハニカム構造体では、アイソスタティック強度が十分でない場合がある。
【０００５】
本発明は上記課題に鑑みてなされたものであり、アイソスタティック強度を向上できる多孔質ハニカム構造体及びこれを用いたハニカムフィルタを提供することを目的とする。
【課題を解決するための手段】
【０００６】
本発明に係る多孔質のハニカム構造体は、筒状の外部スキンと、前記外部スキンよりも内側に配置された筒状の内部スキンと、前記外部スキンと前記内部スキンとの間を連結して四角形の断面を有する複数の外部セルを形成する複数の外部セル隔壁と、前記内部スキン内に複数の内部セルを形成する複数の内部セル隔壁と、を備える。そして、前記外部セル隔壁はそれぞれ前記内部スキンと接する面を有し、前記内部スキンに接している前記内部セル隔壁はそれぞれ前記内部スキンと接する面を有し、前記内部セル隔壁の前記面のそれぞれは、前記内部スキンを間に挟んで前記外部セル隔壁の前記面のいずれかと対向している。
【０００７】
本発明によれば、内部スキンに接続された全ての内部セル隔壁における内部スキンと接する面が、いずれかの外部セル隔壁における内部スキンと接する面と対向しているため、アイソスタティック強度を高くすることができる。
【０００８】
ここで、前記外部セル隔壁の前記面のそれぞれは、前記内部スキンを間に挟んで前記内部セル隔壁の前記面のいずれかと対向することができる。これにより、より一層アイソスタティック強度を高くできる。
【０００９】
また、前記外部セルは、外側の辺が内側の辺よりも短い複数の第１外部セルと、外側の辺が内側の辺よりも長い複数の第２外部セルとを有し、前記第１外部セルと前記第２外部セルとが交互に並んでいることができる。
これにより、ハニカム構造体の外部からの圧力等により少々形状がゆがんでも、外部セルが平行四辺形になりにくくなり、より一層アイソスタティック強度の向上に資する。
【００１０】
また、前記内部セルは、前記内部スキン及び複数の前記内部セル隔壁により形成される複数の内部周辺セルを有し、各前記内部周辺セルの断面形状は多角形であり、前記内部スキンに接続する前記内部セル隔壁と前記内部スキンとがなす角はそれぞれ６０〜１２０°であることができる。
【００１１】
また、前記内部セルは、さらに、複数の前記内部周辺セルよりも内側にあり複数の前記内部セル隔壁により形成される複数の内部中央セルを有し、各前記内部中央セルの断面形状は六角形であり、各前記内部中央セルにおいて前記内部セル隔壁と前記内部セル隔壁とがなす角は９０〜１５０°であることができる。
【００１２】
これらによれば、より一層アイソスタティック強度を向上できる。
本発明に係るハニカムフィルタは、上述のハニカム構造体と、前記ハニカム構造体の前記外部セル及び前記内部セルの一部の一端を閉鎖すると共に前記外部セル及び前記内部セルの残りの他端を閉鎖する封口部と、を備える。
【発明の効果】
【００１３】
本発明によれば、アイソスタティック強度を向上できる多孔質ハニカム構造体及びこれを用いたハニカムフィルタが提供される。
【図面の簡単な説明】
【００１４】
【図１】図１は、本発明の第１実施形態に係るハニカム構造体の斜視図である。
【図２】図２は、図１の軸に垂直な断面の一部拡大図である。
【図３】図３は、図２の一部拡大図である。
【図４】図４は、本発明の第２実施形態に係るハニカム構造体の軸方向に垂直な断面の一部拡大図である。
【図５】図５の（ａ）及び（ｂ）は、本発明の実施形態に係るハニカムフィルタの端部の断面図である。
【発明を実施するための形態】
【００１５】
以下、本発明の好適な実施形態について、図面を参照して詳細に説明する。なお、各図において同一又は相当部分には同一符号を付し、重複する説明を省略する。
【００１６】
図１は、本発明の一実施形態のハニカム構造体の斜視図である。図１に示されるように、ハニカム構造体１００は一端面１００ａ及び他端面１００ｂを有する円柱形状を有し、軸ＣＬ方向に一端面１００ａから他端面１００ｂまで貫通する複数の外部セル４２、及び、内部セル４４を形成している。
【００１７】
ハニカム構造体１００の材料は、多孔質（例えば、空隙率が４０〜７０％、平均細孔直径５〜５０μｍ）のセラミクス材料である。セラミクス材料としては、例えば、アルミナ、シリカ、ムライト、コーディエライト、ガラス、チタン酸アルミニウム等の酸化物、シリコンカーバイド、窒化珪素等が挙げられる。チタン酸アルミニウムは、更に、マグネシウム及び／又はケイ素を含むことができる。
【００１８】
ハニカム構造体１００の高さ（すなわち、一端面１００ａと他端面１００ｂとの距離）は、例えば１０〜１０００ｍｍとすることができる。ハニカム構造体１００の外径は、例えば５０〜１０００ｍｍとすることできる。
【００１９】
図２は、図１のＩＩ−ＩＩ線に沿っての断面の一部拡大図である。図２に示されるように、ハニカム構造体１００は、最外層を形成する円筒状の外部スキン１０、外部スキン１０より内側に配置された円筒状の内部スキン２０、外部スキン１０と内部スキン２０との間を連結するように延びて四角形の断面を有する複数の外部セル４２を形成する複数の外部セル隔壁３０、及び、内部スキン２０内に複数の内部セル４４を形成する複数の内部セル隔壁５０とを有している。
【００２０】
外部スキン１０の厚みは周方向にわたって概ね一定であり、例えば、０．５〜１．５ｍｍとすることができる。
【００２１】
内部スキン２０の厚みは、周方向に渡って概ね一定であり、外部スキン１０の厚みより薄くすることができ、例えば、０．１５〜０．４５ｍｍとすることができる。
【００２２】
外部セル隔壁３０は略一定の厚みを有し、その厚みは内部スキン２０の厚みと同じとすることができる。外部セル隔壁３０の一端及び他端はそれぞれ外部スキン１０及び内部スキン２０に接続されている。図３に示すように、外部セル隔壁３０の表面と、ハニカム構造体１００の軸ＣＬを基準とした半径方向Ｒとがなす角θ１は０〜４５°とすることができ、好ましくは１〜３０°、より好ましくは１〜７°、特に好ましくは３〜７°程度である。θ１が０以外であるとき、外部セル隔壁３０は、半径方向Ｒに対して時計回り方向又は反時計まわり方向に傾斜している。本実施形態では、時計回り方向に傾斜した外部セル隔壁３０ｃｗと反時計回り方向に傾斜した外部セル隔壁３０ｃｃｗとが周方向に交互に並んでいる。これにより、外側の辺が内側の辺よりも短い台形状の断面を有する第１外部セル４２ａ、及び、外側の辺が内側の辺よりも長い台形状の断面を有する第２外部セル４２ｂが周方向に交互に配列されている。
【００２３】
外部セル４２の外側の辺の長さＬ４２は例えば１．５ｍｍ以下とすることができ、０．５ｍｍ以上とすることができる。
【００２４】
外部セル４２の台形の高さＨ４２、すなわち、外部スキン１０と内部スキン２０との距離は０．５〜２ｍｍとすることができ、好ましくは０．５〜１．５ｍｍであり、より好ましくは０．７５〜１．５ｍｍであり、さらに好ましくは０．７５〜１．２５ｍｍである。
【００２５】
多数の内部セル隔壁５０は、内部スキン２０よりも内側に多数の多角形の内部セル４４を形成する。内部セル隔壁５０の厚みは略一定であり、内部スキン２０の厚みと同じとすることができる。
【００２６】
内部セル４４は、内部スキン２０と複数の内部セル隔壁５０により形成される複数の内部周辺セル４４ａと、内部周辺セル４４ａよりも内側にあり複数の内部セル隔壁５０により形成される複数の内部中央セル４４ｂと、を有する。
【００２７】
内部周辺セル４４ａは４角形、５角形、６角形、または７角形であることができる。内部周辺セル４４ａの３辺は、内部スキン２０と、内部スキン２０に接続された２つの内部セル隔壁５０ａとにより形成される。これら３辺及び他の内部セル隔壁５０により４角形以上の多角形が形成される。
【００２８】
内部スキン２０に接続する内部セル隔壁５０ａはそれぞれ内部スキン２０と接する面５０ｆを有し、外部セル隔壁３０はそれぞれ内部スキン２０と接する面３０ｆを有する。本実施形態では、内部スキン２０に接続する内部セル隔壁５０ａの各面５０ｆは、内部スキン２０を間に挟んでいずれかの外部セル隔壁３０の面３０ｆと対向している。また、本実施形態では、外部セル隔壁３０の各面３０ｆが、内部スキン２０を間に挟んでいずれかの内部セル隔壁５０ａの面５０ｆと対向している。
【００２９】
内部スキン２０と内部スキン２０に接続する内部セル隔壁５０ａとがなす角θ２は、６０〜１２０°であることができる。また、内部周辺セル４４ａにおいて、内部セル隔壁５０同士がなす角θ３は、７０〜１５０°とすることができる。θ３が１５０°を超えると、接続部の強度が低下する傾向にある。
【００３０】
内部周辺セル４４ａの大きさは、内部周辺セル４４ａ内に外径０．８ｍｍ（好ましくは１．０ｍｍ）の円を全て含むことができ、かつ、外径３．０ｍｍ（好ましくは２．０ｍｍ）の円内に内部周辺セル４４ａがすべて含まれるように設定できる。
【００３１】
内部中央セル４４ｂの断面は六角形であり、内部中央セル４４ｂは６つの内部セル隔壁５０により形成される。内部中央セル４４ｂにおいて内部セル隔壁５０同士がなす角θ４は９０〜１５０°とすることができる。また、内部中央セル４４ｂの大きさは、内部周辺セル４４ａとおなじ範囲とすることができる。
【００３２】
本実施形態では、内部中央セル４４ｂは、不規則セル４４ｂ１及び規則セル４４ｂ２を有する。規則セル４４ｂ２はハニカム構造体１００の中央部を占める。また、規則セル４４ｂ２は、断面形状が正六角形である複数のＡセル４４ｂ２ａと、長辺と短辺とが交互に配置された等角六角形である複数のＢセル４４ｂ２ｂとを有する。Ｂセル４４ｂ２ｂの長辺は、Ａセル４４ｂ２ａの辺と同じ長さである。
【００３３】
図２に示すように、１つのＡセル４４ｂ２ａに６つのＢセル４４ｂ２ｂが隣接し、１つのＢセル４４ｂ２ｂに３つのＡセル４４ｂ２ａ及び３つのＢセル４４ｂ２ｂが隣接している。
【００３４】
不規則セル４４ｂ１は、規則セル４４ｂ２と内部周辺セル４４ａとの間に配置される。不規則セル４４ｂ１の断面は六角形である。不規則セル４４ｂ１内に外径０．８ｍｍ（好ましくは１ｍｍ）の円を全て含むことができ、かつ、外径３．０ｍｍ（好ましくは２．０ｍｍ）の円内に不規則セル４４ｂ１がすべて含まれるように、辺の長さ及び角度を適宜設定できる。
【００３５】
このようなハニカム構造体１００は、内部スキン２０に接続した全ての内部セル隔壁５０ａの面５０ｆが、内部スキン２０を間に挟んでいずれかの外部セル隔壁３０の面３０ｆと対向しているため、アイソスタティック強度を高くすることができる。内部スキン２０に接続した少なくとも１つの内部セル隔壁５０の面５０ｆが内部スキン２０を間に挟んでいずれかの外部セル隔壁３０の面３０ｆと対向していない場合には、その場所で内部スキン２０が破壊されやすくなるため、アイソスタティック強度が弱くなる傾向がある。
【００３６】
また、本実施形態では、内部スキン２０に接続した全ての外部セル隔壁３０の面３０ｆが、内部スキン２０を間に挟んで、いずれかの内部セル隔壁５０の面５０ｆと対向しているため、より一層アイソスタティック強度を高くすることができる。
【００３７】
なお、アイソスタティック強度とは、ハニカム構造体をその外部スキン１０の外側から等方的に加圧を行った場合の破壊強度であり、例えばハニカム構造体をゴム等の袋に入れ、その後袋を水中に入れて袋を介してハニカム構造体に等方的圧力をかけることにより測定できる。
【００３８】
また、本実施形態では、外側の辺が内側の辺よりも短い複数の第１外部セル４２ａと、外側の辺が内側の辺よりも長い複数の第２外部セル４２ｂとを有し、第１外部セル４２ａと第２外部セル４２ｂとが交互に並んでいるため、成形時の不具合等により部分的に壁構造に歪みが発生した場合でも、外部セル４２の側辺同士が平行になることが抑制され、アイソスタティック強度の向上に大きく寄与する。
【００３９】
また、外部スキン１０、内部スキン２０、及び、外部セル隔壁３０を有する構造であると、外部セル４２の高さを変えることにより、ハニカム構造体１００の外径の微調節が容易である。
【００４０】
このようなハニカム構造体１００は、セラミクス材料を所定の型から上述の構造となるよう押し出してグリーン成形体（未焼成成形体）を得、それを焼成することにより得ることができる。グリーン成形体は、セラミクス原料である無機化合物源粉末、メチルセルロース等の有機バインダ、及び必要に応じて添加される添加剤を含む。
【００４１】
例えば、チタン酸アルミニウムのグリーン成形体の場合、無機化合物源粉末は、αアルミナ粉等のアルミニウム源粉末、及びアナターゼ型やルチル型のチタニア粉末等のチタニウム源粉末を含み、必要に応じて、更に、マグネシア粉末やマグネシアスピネル粉末等のマグネシウム源粉末、及び／又は、酸化ケイ素粉末やガラスフリット等のケイ素源粉末を含むことができる。
【００４２】
有機バインダとしては、メチルセルロース、カルボキシルメチルセルロース、ヒドロキシアルキルメチルセルロース、ナトリウムカルボキシルメチルセルロース等のセルロース類；ポリビニルアルコール等のアルコール類；リグニンスルホン酸塩が挙げられる。
【００４３】
添加物としては、例えば、造孔剤、潤滑剤、可塑剤、分散剤及び溶媒が挙げられる。
【００４４】
造孔剤としては、グラファイト等の炭素材；ポリエチレン、ポリプロピレン、ポリメタクリル酸メチル等の樹脂類；でんぷん、ナッツ殻、クルミ殻、コーン等の植物材料；氷；及びドライアイス等が挙げられる。
【００４５】
潤滑剤及び可塑剤としては、グリセリン等のアルコール類；カプリル酸、ラウリン酸、パルミチン酸、アラキジン酸、オレイン酸、ステアリン酸等の高級脂肪酸；ステアリン酸Ａｌ等のステアリン酸金属塩、ポリオキシアルキレンアルキルエーテル（ＰＯＡＡＥ）等が挙げられる。
【００４６】
分散剤としては、例えば、硝酸、塩酸、硫酸等の無機酸；シュウ酸、クエン酸、酢酸、リンゴ酸、乳酸等の有機酸；メタノール、エタノール、プロパノール等のアルコール類；ポリカルボン酸アンモニウム等の界面活性剤等が挙げられる。
【００４７】
溶媒としては、例えば、メタノール、エタノール、ブタノール、プロパノール等のアルコール類；プロピレングリコール、ポリプロピレングリコール、エチレングリコール等のグリコール類；及び水等を用いることができる。
【００４８】
続いて、図４を参照して、第２実施形態に係るハニカム構造体１００について説明する。本実施形態では、第１実施形態と同じ事項は割愛し、相違点のみを述べる。本実施形態に係るハニカム構造体１０１が第１実施形態と異なる主な点は、内部中央セル４４ｂの断面が４角形であり、内部中央セル４４ｂが４つの内部セル隔壁５０により形成される点である。内部中央セル４４ｂにおいて内部セル隔壁５０同士がなす角θ４は６０〜１２０°とすることができる。
【００４９】
本実施形態では、内部中央セル４４ｂは、複数の不規則セル４４ｂ１及び複数の規則セル４４ｂ２を有する。規則セル４４ｂ２は、ハニカム構造体１００の中央部を占め、断面形状が正方形である。
【００５０】
不規則セル４４ｂ１は、規則セル４４ｂ２と内部周辺セル４４ａとの間に配置される。不規則セル４４ｂ１の断面は四角形である。規則セル４４ｂ２及び不規則セル４４ｂ１の大きさは、第１実施形態と同様にして定めることができる。
本実施形態においても、第１実施形態と同様の効果を奏することができる。
【００５１】
続いて、図５を参照して、上述のハニカム構造体１００を用いたハニカムフィルタ１００Ｆを説明する。本実施形態に係るハニカムフィルタ１００Ｆは、上述のハニカム構造体１００と、複数の内部セル４４及び複数の外部セル４２の内の一部の軸方向の一端及び複数の内部セル４４及び複数の外部セル４２の内の残りの軸方向の他端を閉鎖する封口部Ｐとを有する。
【００５２】
封口部は、軸方向の端において内部セル４４及び外部セル４２の壁、例えば、内部スキン２０、外部セル隔壁３０、内部セル隔壁５０を折り曲げて接合した構造でもよい。図５の（ａ）には、一端面１００ａにおいて、Ａセル４４ｂ２ａを内部セル隔壁５０の端部を折り曲げて接合した構造を有する封口部Ｐを示す。また、封口部Ｐは、内部セル４４及び外部セル４２の軸方向の端に詰められた栓でもよい。図５の（ｂ）には、Ａセル４４ｂ２ａの端部に詰められた栓を有する封口部Ｐを示している。
【００５３】
例えば、一端面１００ａにおいて、規則セル４４ｂ２の内のＡセル４４ｂ２ａを閉鎖すると共に、外部セル４２、内部周辺セル４４ａ、及び、不規則セル４４ｂ１の内の任意の一部を閉鎖し、他端面１００ｂにおいて、規則セル４４ｂ２の内のＢセル４４ｂ２ｂを閉鎖すると共に、外部セル４２、内部周辺セル４４ａ、及び、不規則セル４４ｂ１の内の残りのセルを閉鎖すればよい。
【００５４】
このような封口部Ｐを有することにより、ハニカムフィルタ１００Ｆは、一端面から供給されるガス中の粒子を捕集してガスを浄化するフィルタとして用いられる。すなわち、ハニカムフィルタの一端に内燃機関から排出されたガスを供給すると、当該一端に封口部のない内部セル及び外部セルにガスが供給される。各セル内に流入したガスは、当該各セルの他端に封口部があるため、内部セル隔壁、外部セル隔壁、内部スキンを通過して他端に封口部を有さない隣接セルに流入し、他端側から排出される。この際に、ガス中の微細粒子（すす等）が壁に捕捉される。
【００５５】
以上、本発明の実施形態について説明したが、本発明は、上記各実施形態に限定されるものではない。例えば、内部中央セルの断面形状は、六角形や四角形に限定されず、これら以外の多角形、円形、楕円形、あるいはこれらを混合した形態などであることもできる。
【００５６】
また、セルの角部は若干の丸みを帯びていてもよい。さらに、ハニカム構造体１００の外形形状は円柱でなくても、角柱や楕円柱でもよい。内部スキン２０の形状も、外部スキン１０の形状に合わせて変形することができる。
【００５７】
また、上記実施形態では、内部スキン２０に接続された全ての内部セル隔壁５０ａの面５０ｆは内部スキン２０を間に挟んでいずれかの外部セル隔壁３０の面３０ｆと対向し、かつ、内部スキン２０に接続された全ての外部セル隔壁３０の面３０ｆは内部スキン２０を間に挟んでいずれかの内部セル隔壁５０の面５０ｆと対向しているが、前者のみを満たしていても実施は可能である。例えば、図３において、外部スキン１０と内部スキン２０との間に、さらに、外部セル隔壁３０を追加しても実施は可能である。
【００５８】
（計算例１）
第１実施形態の図１〜図３に示すハニカム構造体のモデルのアイソスタティック強度を構造解析シミュレーション法により求めた。
具体的には、有限要素法シミュレーションを行うソフトウエアとして、ＡＮＳＹＳ社製Ｍｅｃｈａｎｉｃａｌ（ＡＰＤＬ）を用いた。計算には二次元メッシュを使用した。
【００５９】
ハニカム構造体の構造の詳細は、以下のようにした。
ハニカム構造体の直径：１６３ｍｍ、外部スキンの厚み０．５ｍｍ、内部スキンの厚み０．３３ｍｍ、外部セル隔壁の厚み０．３３ｍｍ、内部セル隔壁の厚み０．３３ｍｍ、Ａセルの１辺の長さ０．６７ｍｍ、Ｂセルの短辺の長さ０．５４ｍｍ、θ１：５°、θ２：１０９°、θ３：１２０°、θ４：１２０°、外部セル４２の高さＨ４２：０．９０ｍｍ：外部セル４２の外側の辺の長さＬ４２：１．１２ｍｍ、内部周辺セル４４ａの大きさ：内部周辺セル４４ａ内に外径１．０ｍｍの円を全て含むことができ、かつ、外径２．０ｍｍの円内に内部周辺セル４４ａがすべて含まれるように設定した。内部周辺セル４４ａの一辺の長さの最大値は１．３ｍｍ、最小値は０．２ｍｍであり、その形状は４〜７角形とした。
【００６０】
機械的パラメータとしては、弾性率１．５ＧＰａとした。アイソスタティック強度は３．４ＭＰａであった。
【００６１】
（比較計算例１）
計算例１では、内部スキンに接続された全ての内部セル隔壁が内部スキンを間に挟んでいずれかの外部セル隔壁と対向させたが、外部スキン１０及び外部セル隔壁３０の全体を内部スキン２０に対して周方向に回転させた構造を作製し、内部スキンに接続された全ての内部セル隔壁が内部スキンを間に挟んでいかなる外部セル隔壁とも対向しないようにしたモデルを用いた以外は計算例１と同様とした。
アイソスタティック強度は１．５ＭＰａであった。
【００６２】
（比較計算例２）
内部スキンを無くし、Ａセル及びＢセルからなる規則セルで外部スキンの内部を埋め尽くしたハニカム構造体のモデルを作製した。アイソスタティック強度は３．０ＭＰａであった。
【符号の説明】
【００６３】
１０…外部スキン、２０…内部スキン、３０…外部セル隔壁、４２…外部セル、４２ａ…第１外部セル、４２ｂ…第２外部セル、４４…内部セル、４４ａ…内部周辺セル、４４ｂ…内部中央セル、５０…内部セル隔壁、１００…ハニカム構造体、Ｐ…封口部。１００Ｆ…ハニカムフィルタ。
【図１】
2018158445.tif 000003
【図２】
2018158445.tif 000004
【図３】
2018158445.tif 000005
【図４】
2018158445.tif 000006
【図５】
2018158445.tif 000007